(57)【特許請求の範囲】
【請求項１】
防水性を有し、かつ、微多孔(11a)(11a)…により透湿性を備えた合成樹脂フィルムから成る透湿フィルム層(11)の一方側の面上に、防蟻剤を含有し、かつ、通気孔(12a)(12a)…が穿設された合成樹脂フィルムから成る防蟻フィルム層(12)が積層され、更にこの防蟻フィルム層(12)上には、前記通気孔(12a)(12a)…を開放せしめる箇所及びその他所定の箇所に通気孔(12a)と同径の小穿孔(13a)(13a)…が設けられたラミネートフィルム或いはコーティング被膜から成る表面保護層(13)が積層される一方、前記透湿フィルム層(11)の他方側の面上には補強不織布層(14)が積層された透湿防水シート(１)と；この透湿防水シート(１)が張設される壁下地材(２)と；前記透湿防水シート(１)を挟んで壁下地材(２)の外側に立設された外壁材(３)と；前記透湿防水シート(１)が張設される野地板(５)と；この野地板(５)上に敷設された屋根材(６)と；前記透湿防水シート(１)と外壁材(３)の間、及び前記透湿防水シート(１)と屋根材(６)の間に形成された通気部(４)とを含んで構成され、
前記透湿防水シート(１)の表面保護層(13)に設けられた小穿孔(13a)(13a)…の数によって、防蟻フィルム層(12)中から前記通気部(４)への防蟻剤の気化・放出量が調節されることを特徴とする建築物の防蟻被覆構造。
【請求項２】
防水性を有し、かつ、微多孔(11a)(11a)…により透湿性を備えた合成樹脂フィルムから成る透湿フィルム層(11)の一方側の面上に、防蟻剤を含有し、かつ、通気孔(12a)(12a)…が穿設された合成樹脂フィルムから成る防蟻フィルム層(12)が積層され、更にこの防蟻フィルム層(12)上には、少なくとも前記通気孔(12a)(12a)…を開放せしめる箇所に通気孔(12a)よりも孔径が大きい小穿孔(13a)(13a)…が設けられたラミネートフィルム或いはコーティング被膜から成る表面保護層(13)が積層される一方、前記透湿フィルム層(11)の他方側の面上には補強不織布層(14)が積層された透湿防水シート(１)と；この透湿防水シート(１)が張設される壁下地材(２)と；前記透湿防水シート(１)を挟んで壁下地材(２)の外側に立設された外壁材(３)と；前記透湿防水シート(１)が張設される野地板(５)と；この野地板(５)上に敷設された屋根材(６)と；前記透湿防水シート(１)と外壁材(３)の間、及び前記透湿防水シート(１)と屋根材(６)の間に形成された通気部(４)とを含んで構成され、
前記透湿防水シート(１)の表面保護層(13)に設けられた小穿孔(13a)(13a)…の大きさによって、防蟻フィルム層(12)中から前記通気部(４)への防蟻剤の気化・放出量が調節されることを特徴とする建築物の防蟻被覆構造。
【請求項３】
屋内へと通じる換気口(７)に金属製または防蟻剤を含有した合成樹脂製のメッシュ材(71)が張設されていることを特徴とする請求項１または２に記載の建築物の防蟻被覆構造。
【請求項４】
床下の土台部(８)に防蟻剤を含有した防湿性シート材(81)が張設されていることを特徴とする請求項１〜３の何れか一つに記載の建築物の防蟻被覆構造。
【請求項５】
防水性を有し、かつ、微多孔(11a)(11a)…により透湿性を備えた合成樹脂フィルムから成る透湿フィルム層(11)と；この透湿フィルム層(11)の一方側の面上に積層され、防蟻剤を含有し、かつ、通気孔(12a)(12a)…が穿設された合成樹脂フィルムから成る防蟻フィルム層(12)と；この防蟻フィルム層(12)上に積層され、前記通気孔(12a)(12a)…を開放せしめる箇所及びその他所定の箇所に通気孔(12a)と同径の小穿孔(13a)(13a)…が設けられたラミネートフィルム或いはコーティング被膜から成る表面保護層(13)と；前記透湿フィルム層(11)の他方側の面上に積層された補強不織布層(14)とを含んで構成され、
前記表面保護層(13)に設けられた小穿孔(13a)の数により、防蟻フィルム層(12)中から外部への防蟻剤の気化・放出量が調節されることを特徴とする建物被覆用防蟻シート。
【請求項６】
表面保護層(13)と防蟻フィルム層(12)との間に、表面保護層(13)の小穿孔(13a)(13a)…に連通する連通孔(16a)(16a)…を備えたアルミ薄膜層(16)が介装されていることを特徴とする請求項５記載の建物被覆用防蟻シート。
【請求項７】
防水性を有し、かつ、微多孔(11a)(11a)…により透湿性を備えた合成樹脂フィルムから成る透湿フィルム層(11)と；この透湿フィルム層(11)の一方側の面上に積層され、防蟻剤を含有し、かつ、通気孔(12a)(12a)…が穿設された合成樹脂フィルムから成る防蟻フィルム層(12)と；この防蟻フィルム層(12)上に積層され、少なくとも前記通気孔(12a)(12a)…を開放せしめる箇所に通気孔(12a)よりも孔径が大きい小穿孔(13a)(13a)…が設けられたラミネートフィルム或いはコーティング被膜から成る表面保護層(13)と；前記透湿フィルム層(11)の他方側の面上に積層された補強不織布層(14)とを含んで構成され、
前記表面保護層(13)に設けられた小穿孔(13a)の大きさにより、防蟻フィルム層(12)中から外部への防蟻剤の気化・放出量が調節されることを特徴とする建物被覆用防蟻シート。
【発明の詳細な説明】
【技術分野】
【０００１】
本発明は、建築物の防蟻被覆構造および建物被覆用シートの改良、詳しくは、アメリカカンザイシロアリの侵入を効果的に阻止でき、また防蟻効果も長期間持続し、しかも、生産性にも優れた建築物の防蟻被覆構造、及び建物被覆用防蟻シートに関するものである。
【背景技術】
【０００２】
周知のとおり、木材を使用した建築物はシロアリによる被害を受け易いことから、木造住宅などを設計する際には、シロアリによる食害及び屋内への侵入を防ぐための防蟻構造についてしっかりと対策を立てる必要がある。
【０００３】
また、既知の防蟻構造としては、建築物の床下に防水性の防蟻シートを張設する方法が一般的であり(例えば、特許文献１参照)、このような防蟻構造を採用することによって、地中に巣を作り土台部分から木材を食害して屋内へと侵入するヤマトシロアリやイエシロアリの被害を防ぐことができる。
【０００４】
ところで、最近では、上記ヤマトシロアリ等に加えて外来種であるアメリカカンザイシロアリによる被害も国内で拡がっており、このアメリカカンザイシロアリは、土台部などの湿気の多い場所にしか生息できないヤマトシロアリ等とは異なり湿気のない天井裏や家具類中でも飛来して棲みついてしまうため、一旦屋内に侵入されると食害の防止が非常に困難である。
【０００５】
また、屋内への侵入経路に関しても、アメリカカンザイシロアリはヤマトシロアリ等と異なり羽根アリが飛来して壁や換気口などから侵入するため、一般的に用いられている従来の床下の防蟻構造ではアメリカカンザイシロアリの侵入を到底防ぐことはできない。
【０００６】
そこで、先行技術文献(特許文献２参照)に開示されているような、透湿防水性のハウスラップ用のシートに防蟻剤を含有させたものを外壁下地や屋根下地に使用して、アメリカカンザイシロアリの侵入を阻止することも考えられる。
【０００７】
しかしながら、上記＜文献２＞に係る防蟻剤入りハウスラップ用シートは、図１０に示すようにシート内部の防蟻剤をベーパライズ(気化)させることで通気部に侵入したシロアリに対する殺虫・忌避効果を発揮するものの、従来のハウスラップ用シートは、防蟻剤の気化が大量に生じて結果的に防蟻剤の効果が早期に失われるという欠点があった。
【０００８】
また、防蟻剤のベーパライズによる効果の消失速度を遅延させるために防蟻剤をマイクロカプセル化して多孔質フィルムに含有させることも考えられたが、それだと強度面で条件が課せられる多孔質フィルムの成形が困難になってシートの生産性が低下する懸念があった。
【先行技術文献】
【特許文献】
【０００９】
【特許文献１】特開昭５９−９６３５１号公報（第１−３頁、図１−４図）
【特許文献２】特開昭６４−５８７３９号公報（第１−７頁、図１図）
【発明の概要】
【発明が解決しようとする課題】
【００１０】
本発明は、上記の如き問題に鑑みて為されたものであり、その目的とするところは、アメリカカンザイシロアリの侵入を効果的に阻止でき、また防蟻効果を長期間持続させることができて、しかも、製造面でも有利な建築物の防蟻被覆構造、及び建物被覆用防蟻シートを提供することにある。
【課題を解決するための手段】
【００１１】
本発明者が上記課題を解決するために採用した手段を添付図面を参照して説明すれば次のとおりである。
【００１２】
即ち、本発明は、防水性を有し、かつ、微多孔11a・11a…により透湿性を備えた合成樹脂フィルムから成る透湿フィルム層11の一方側の面上に、防蟻剤を含有し、かつ、通気孔12a・12a…が穿設された合成樹脂フィルムから成る防蟻フィルム層12が積層され、更にこの防蟻フィルム層12上には、前記通気孔12a・12a…を開放せしめる箇所及びその他所定の箇所に通気孔12aと同径の小穿孔13a・13a…が設けられたラミネートフィルム或いはコーティング被膜から成る表面保護層13が積層される一方、前記透湿フィルム層11の他方側の面上には補強不織布層14が積層された透湿防水シート１と；この透湿防水シート１が張設される壁下地材２と；前記透湿防水シート１を挟んで壁下地材２の外側に立設された外壁材３と；前記透湿防水シート１が張設される野地板５と；この野地板５上に敷設された屋根材６と；前記透湿防水シート１と外壁材３の間、及び前記透湿防水シート１と屋根材６の間に形成された通気部４とを含んで建築物の防蟻被覆構造を構成し、
前記透湿防水シート１の表面保護層13に設けられた小穿孔13a・13a…の数によって、防蟻フィルム層12中から前記通気部４への防蟻剤の気化・放出量を調節可能とした点に特徴がある。
【００１３】
また、本発明は、防水性を有し、かつ、微多孔11a・11a…により透湿性を備えた合成樹脂フィルムから成る透湿フィルム層11の一方側の面上に、防蟻剤を含有し、かつ、通気孔12a・12a…が穿設された合成樹脂フィルムから成る防蟻フィルム層12が積層され、更にこの防蟻フィルム層12上には、少なくとも前記通気孔12a・12a…を開放せしめる箇所に通気孔12aよりも孔径が大きい小穿孔13a・13a…が設けられたラミネートフィルム或いはコーティング被膜から成る表面保護層13が積層される一方、前記透湿フィルム層11の他方側の面上には補強不織布層14が積層された透湿防水シート１と；この透湿防水シート１が張設される壁下地材２と；前記透湿防水シート１を挟んで壁下地材２の外側に立設された外壁材３と；前記透湿防水シート１が張設される野地板５と；この野地板５上に敷設された屋根材６と；前記透湿防水シート１と外壁材３の間、及び前記透湿防水シート１と屋根材６の間に形成された通気部４とを含んで建築物の防蟻被覆構造を構成し、
前記透湿防水シート１の表面保護層13に設けられた小穿孔13a・13a…の大きさによって、防蟻フィルム層12中から前記通気部４への防蟻剤の気化・放出量を調節可能とすることもできる。
【００１４】
そしてまた、本発明は、必要に応じて上記手段に加え、屋内へと通じる換気口７に金属製または防蟻剤を含有した合成樹脂製のメッシュ材71を張設するという技術的手段を採用することもできる。
【００１５】
また更に、本発明は、必要に応じて上記手段に加え、床下の土台部８に防蟻剤を含有した防湿性シート材81を張設するという技術的手段を採用することもできる。
【００１６】
他方また、本発明は、必要に応じて上記手段に加え、上記透湿防水シート１において、表面保護層13と防蟻フィルム層12との間に、表面保護層13の小穿孔13a・13a…に連通する連通孔16a・16a…を備えたアルミ薄膜層16を介装して防蟻剤への熱的影響を軽減するという技術的手段を採用することもできる。なお、上記「アルミ薄膜層」には、アルミ蒸着層も含まれるものとする。
【発明の効果】
【００１７】
本発明では、微多孔を備えた透湿フィルムの一方の面上に、防蟻剤を含有させた防蟻フィルム或いは防蟻不織布を積層して成る透湿防水シートを、外壁下地や屋根下地として使用したことにより、外壁材や屋根材の内側に形成された通気部にアメリカカンザイシロアリが侵入した場合でも、前記透湿防水シートの防蟻フィルムや防蟻不織布からベーパライズした防蟻剤が通気部内に放出されるため、通気部内でシロアリを殺虫・忌避することが可能となる。
【００１８】
また、上記防蟻剤のベーパライズに関しては、防蟻フィルムや防蟻不織布の材質・密度を工夫したり、任意の数及び大きさの穿孔を有する表面保護層を設けたりすることで、防蟻剤の気化・放出量を調節することができるため、防蟻効果を従来よりも長期間持続させることができる。
【００１９】
そしてまた、上記透湿防水シートに使用する防蟻フィルムに関しては、透湿フィルムと異なり強度面を特に考慮する必要はないため、防蟻剤を含んだ状態で成形が容易な材料を選択して製造効率を向上することも可能となる。
【００２０】
したがって、本発明によれば、アメリカカンザイシロアリに対して優れた防蟻効果を発揮するだけでなく、防蟻効果の持続性や生産性にも優れた防蟻シート及び当該防蟻シートを用いた建築物の防蟻被覆構造を提供できることから、本発明の実用的利用価値は頗る高い。
【図面の簡単な説明】
【００２１】
【図１】本発明の実施例１における透湿防水シートの積層構造を表わす拡大斜視図である。
【図２】本発明の実施例１における透湿防水シートの断面構造を表わす部分断面図である。
【図３】本発明の実施例１における透湿防水シートの断面構造を表わす部分断面図である。
【図４】本発明の実施例１における透湿防水シートを張設した外壁部及び小屋根部の構造を表わす構造断面図である。
【図５】本発明の実施例１における透湿防水シートの防蟻機能を表わす状態説明図である。
【図６】本発明の実施例２における透湿防水シートの積層構造を表わす拡大斜視図である。
【図７】本発明の実施例２における透湿防水シートの断面構造を表わす部分断面図である。
【図８】本発明の実施例３における透湿防水シートの積層構造を表わす拡大斜視図である。
【図９】本発明の実施例４における建築物のハウスラップ構造を表わす構造断面図である。
【図１０】従来技術における透湿防水シートの防蟻機能を表わす状態説明図である。
【発明を実施するための形態】
【００２２】
本発明を実施するための最良の形態を具体的に図示した図面に基づいて更に詳細に説明すると、次のとおりである。
【００２３】
『実施例１』
本発明の実施例１は、図１から図５に示される。同図において、符号１で指示するものは透湿防水シートであり、符号２で指示するものは壁下地材である。符号３で指示するものは外壁材であり、符号４で指示するものは通気部である。符号５で指示するものは屋根材であり、符号６で指示するものは野地板である。
【００２４】
まず実施例１で使用する透湿防水シート１の構成について説明すると、透湿フィルム層11に、防水性を有し、かつ、面上に微小(孔径：5μｍ以下)な微多孔11a・11a…を備えた合成樹脂フィルムを使用し、更にこの透湿フィルム層11の表面側には、所定大きさ(本実施例では、孔径４mm)の通気孔12a・12a…が形成された、防蟻剤を含有する合成樹脂フィルムを接着して防蟻フィルム層12を形成している(図１、図２参照)。
【００２５】
なお、上記透湿防水シート１の防蟻フィルム層12の通気孔11a・11a…は、透湿作用が得られる範囲で孔径を自由に変更することができるが、穿設加工により通気孔12a・12a…を設ける際には、実用上における最低限度の透湿性を確保するために通気孔12a・12a…を50〜100万個／m２の密度で設け、開口率が10〜15％となるようにする。
【００２６】
また更に、上記透湿防水シート１の防蟻フィルム層12上には、通気孔12a・12a…を開放せしめる箇所及びその他所定の箇所に小穿孔13a・13a…(本実施例では、孔径４mm)が設けられた合成樹脂フィルム(厚み：12μｍ)をラミネートして表面保護層13を設ける一方、上記透湿フィルム層11の裏面側には不織布シートを接着して補強不織布層14を設けている。
【００２７】
ちなみに実施例１では、上記透湿防水シート１の透湿フィルム層11に、ポリプロピレン製の２軸延伸フィルムを使用すると共に、防蟻フィルム層12には、成形が容易なＥＶＡ樹脂フィルムを使用している。また、表面保護層13には熱式ラミネートが可能なポリエチレンシートを使用し、補強不織布層14には、適当な密度のＰＥＴ不織布を使用している。
【００２８】
また、上記透湿防水シート１の表面保護層13の小穿孔13a・13a…は、少なくとも通気孔12a・12a…を開放せしめる箇所に設けられていればよく、例えば、図３に示すように通気孔12a・12a…よりも口径の大きい小穿孔13aを通気孔12a・12a…の位置に合わせて設けることもできる。
【００２９】
そしてまた、実施例１では、透湿防水シート１を作製する際に、予め小穿孔13a・13a…を設けたフィルム材をラミネートして表面保護層13を形成しているが、小穿孔13a・13a…はフィルム材をラミネートした後に穿設加工により設けることもでき、特に表面保護層13をフィルム材でなくコーティング被膜とする場合には、コーティング後に穿設加工を行って小穿孔13a・13a…を設ける必要がある。
【００３０】
また実施例１では、上記透湿防水シート１の防蟻フィルム層12に含有させる防蟻剤として、ピレスロイド系殺虫剤を使用しているが、これ以外にもネオニコチノイド系やカーバメイト系、フェニルピラゾール系、クロルフェノール系、オキジアンジン系、フェニルピロール系などの殺虫剤を使用でき、またヒバ油やヒノキチオール、ピレトリン、カプリン酸等の天然系防蟻剤を使用することも可能である。
【００３１】
次に、上記透湿防水シート１を用いた外壁通気工法について説明する。まず内壁材の外側に配設した壁下地材２(本実施例では、「断熱材」)の外側面に、補強不織布層14を向けて透湿防水シート１を張設した後、この透湿防水シート１の更に外側に所定の間隔を空けて外壁材３を立設して外壁部を構築する(図４参照)。
【００３２】
また、上記外壁材３と透湿防水シート１の間に形成された隙間については、下側の開口部41から流入させた外気を上側の開口部41から排出可能とすることで通気部４として利用できるようにする。
【００３３】
そして上記のように構築した外壁部では、図５に示すように、開口部41からアメリカカンザイシロアリが通気部４に侵入した場合でも、透湿防水シート１の表面保護層13の小穿孔13a・13a…からベーパライズした防蟻剤によってシロアリを殺虫・忌避することができるため、シロアリの屋内への侵入を未然に防止することができる。
【００３４】
また、上記透湿防水シート１の防蟻フィルム層12の表面は表面保護層13で覆われているため、防蟻フィルム層13の表面全体から防蟻剤が大量に気化して防蟻効果が早期消失する心配もなく、しかも、表面保護層13の小穿孔13a・13a…の数や大きさを変更すれば、防蟻剤の放出量を調節することも可能となる。そしてまた、上記透湿防水シート１の防蟻フィルム層12の厚みを変更することにより防蟻剤の含有量の調整も容易となる。
【００３５】
他方また、上記透湿防水シート１は、合成樹脂フィルムから成る透湿フィルム層11や防蟻フィルム層12、表面保護層13、及び補強不織布層14をラミネート加工するだけで簡単に作製することができ、特に防蟻フィルム層12については防蟻剤を含んだ状態であっても成形が容易な材料を選択することができるため、製造効率の向上も図れる。
【００３６】
次に、上記透湿防水シート１を用いた屋根通気工法についても説明する。まず外壁通気工法と同様、補強不織布層14側を向けて透湿防水シート１を野地板５に張設した後、この透湿防水シート１上に屋根材６を敷設すると共に、この屋根材６と透湿防水シート１の間には外気が出入り可能な通気部４を設けて小屋根部を構築する。
【００３７】
これにより、外壁部と同じようにアメリカカンザイシロアリが開口部分から通気部４に侵入した場合であっても、透湿防水シート１の表面保護層13の小穿孔13a・13a…から放出される防蟻剤によりシロアリを撃退することができる。
【００３８】
ちなみに、上記屋根通気工法において使用する屋根材６については、野地板５との間に通気可能な隙間が形成されるものであれば瓦材以外の例えばスレートや金属板などであっても使用することが可能である。
【００３９】
『実施例２』
次に、本発明の実施例２を図６及び図７に基づいて説明する。実施例２では、透湿防水シート１の防蟻フィルム層12の代わりに防蟻剤を含浸させた防蟻不織布層15を透湿フィルム層11に積層して構成している(図６、図７参照)。
【００４０】
これにより、上記透湿防水シート１では、防蟻不織布層15の表面で起こる防蟻剤の気化放出を表面保護層13の小穿孔13a・13a…で適正量に抑えつつ、防蟻フィルム層12よりも防蟻剤の含有量を増やすことが容易となる。ちなみに、透湿防水シート１に防蟻不織布層15を設ける場合には、防蟻フィルム層12よりも格段に防蟻剤の気化量が多くなるため、表面保護層13の役割が非常に大きくなる。
【００４１】
『実施例３』
次に、本発明の実施例３を図８に基づいて説明する。実施例３では、透湿防水シート１の表面保護層13と防蟻フィルム層12との間にアルミ薄膜層16を介装すると共に、このアルミ薄膜層16には、表面保護層13の小穿孔13a・13a…に連通する連通孔16a・16a…を設けている(図８参照)。
【００４２】
これにより、外壁材３及び屋根材６から放射される輻射熱を透湿防水シート１のアルミ薄膜層16で遮断して屋内への熱侵入を防ぐことができるだけでなく、防蟻剤への熱的影響を軽減して余計な気化や熱変性を防止することもできる。
【００４３】
なお実施例３では、防蟻フィルム層12にアルミを蒸着して厚み45ｎｍのアルミ薄膜層16を形成した後、このアルミ薄膜層16上に表面保護層13を設けて全体に穿設加工を行い、その後、前記防蟻フィルム層12と透湿フィルム層11とを接着して透湿防水シート１を作製している。
【００４４】
『実施例４』
次に、本発明の実施例４を図９に基づいて説明する。図中、符号７で指示するものは、換気口であり、符号８で指示するものは、土台部である。実施例４では、透湿防水シート１を張設できない換気口７に対し防蟻剤含有の合成樹脂製メッシュ材71を付設しており、これによって、飛来したアメリカンザイシロアリが換気口７から直接屋内へ侵入することを防止することができる(図９参照)。
【００４５】
ちなみに、上記換気口７には、屋内への出入口となる建物の土台部分や屋根部分に設けられた通風口や、外壁部分に設けられた換気扇の給排気口などが含まれる。
【００４６】
また実施例４では、外壁部における通気部４の開口部41・41にもメッシュ材41a・41aを付設しており、これによってシロアリの通気部４への侵入も防止して、防蟻効果を一層向上できる。
【００４７】
なお、上記換気口７や通気部４の開口部41に付設するメッシュ材は、アメリカカンザイシロアリが通過しない程度の目の大きさ(具体的には最低でも2.0mm以下、好ましくは1.5mm以下)とする必要があり、また材料に関しては食い破られなければよいため、金網などを使用することもできる。
【００４８】
また実施例４では、床下の土台部８に防蟻剤を含有した防湿性シート材81を張設することにより土中に生息するヤマトシロアリやイエシロアリによる食害も同時に防止できるようにしている。
【００４９】
本発明は、概ね上記のように構成されるが、本発明は図示の実施形態に限定されるものでは決してなく、「特許請求の範囲」の記載内において種々の変更が可能であって、例えば、透湿防水シート１の透湿フィルム層11に使用する合成樹脂フィルムの材料は、ポリプロピレン以外にもポリエチレンやポリウレタンなどを採用することができ、また防蟻フィルム層12の材料に、ＥＶＡよりも防蟻剤がベーパライズし難いポリプロピレンやポリエチレン等を使用することもできる。
【００５０】
また、透湿防水シート１の透湿フィルム層11に含有する防蟻剤には、マイクロカプセル化したものを使用することもでき、これによりマイクロカプセルの被覆材(殻)が防蟻剤のベーパライズを抑えて気化・放出量を抑制することができる。
【００５１】
そしてまた、透湿防水シート１は、透湿フィルム層11と防蟻フィルム層又は防蟻不織布層15、表面保護層13、補強不織布層14が含まれていれば５層以上から構成されていてもよく、また、壁下地材２は、断熱材の他、胴縁や木ずり或いは合板等であってもよく、上記何れのものも本発明の技術的範囲に属する。
【産業上の利用可能性】
【００５２】
近年、木造建築のシロアリ対策は、建物の寿命に直結する事項であるためその重要性は非常に高く、また最近では、アメリカカンザイシロアリによる被害の報告も急増していることから、アメリカカンザイシロアリに対する早急な防蟻対策が求められている。
【００５３】
そのような中で、本発明の建築物の防蟻被覆構造、及び建物被覆用防蟻シートは、防蟻剤の効果を長期間持続させてアメリカカンザイシロアリの屋内への侵入を防ぐことのできる有用な技術であることから、市場における需要は大きく、その産業上の利用価値は非常に高い。
【符号の説明】
【００５４】
１  透湿防水シート
11  透湿フィルム層
11a  微多孔
12  防蟻フィルム層
12a  通気孔
13  表面保護層
13a  小穿孔
14  補強不織布層
15  防蟻不織布層
16  アルミ薄膜層
16a  連通孔
２  壁下地材
３  外壁材
４  通気部
41  開口部
41a  メッシュ材
５  野地板
６  屋根材
７  換気口
71  メッシュ材
８  土台部
81  防湿性シート材
【図１】
0005520022.tif 000002
【図２】
0005520022.tif 000003
【図３】
0005520022.tif 000004
【図４】
0005520022.tif 000005
【図５】
0005520022.tif 000006
【図６】
0005520022.tif 000007
【図７】
0005520022.tif 000008
【図８】
0005520022.tif 000009
【図９】
0005520022.tif 000010
【図１０】
0005520022.tif 000011